(57)【要約】【課題】携帯用ヒーターを入浴時や降雨時などの水浴び場所でも使用できるようにすると共に、既存の携帯用ヒーターに取りはずし可能に被せて使用できるようにした携帯用ヒーターカバーを提供する。【解決手段】天板１１０に連設した斜板１１１からなるトップカバー１１とトップカバー１１の斜板１１１にカバーフレーム１３を介して間隙をあけて順次重ねた１個又は複数個の斜板１２１からなるサイドカバー１２を備え携帯用ヒーター２０に被せて使用するカバーであって、トップカバー１１の斜板１１１と第１番目のサイドカバー１２の斜板１２１の間隙、第１番目のサイドカバー１２の斜板１２１と第２番目のサイドカバー１２の斜板１２１の間隙、第ｎ番目のサイドカバー１２の斜板１２１と第（ｎ＋１）番目のサイドカバー１２の斜板１２１の間隙、最終番目のサイドカバーの斜板と床面乃至地面の間隙が、いずれも、落下水及び跳ね返り水が侵入しないように防水形成されると共に、燃焼や吸排気できるように通気形成され入浴時、降雨時などに水を浴びても携帯用ヒーター２０が使用できるようにしたもの。【選択図】    図１
2004190908.tif 000002
【特許請求の範囲】
【請求項１】
天板と、これに連設した斜板とからなるトップカバーと、前記トップカバーの斜板に、カバーフレームを介して、間隙をあけて順次重ねるようにした、１個又は複数個の斜板からなるサイドカバーとを備えてなる、携帯用ヒーターに被せて使用するカバーであって、前記トップカバーの斜板と前記第１番目のサイドカバーの斜板との間隙、前記第１番目のサイドカバーの斜板と前記第２番目のサイドカバーの斜板との間隙、前記第ｎ番目のサイドカバーの斜板と前記第（ｎ＋１）番目のサイドカバーの斜板との間隙、前記最終番目のサイドカバーの斜板と床面乃至地面との間隙が、いずれも、落下水及び跳ね返り水が侵入しないように、防水できるように形成されると共に、燃焼や吸排気のため通気できるように形成され、入浴時、降雨時などに水を浴びても、携帯用ヒーターが使用できるようにしたことを特徴とする携帯用ヒーターカバー。
【発明の詳細な説明】
【０００１】
【発明の属する技術分野】
本発明は、入浴時、降雨時などに、水を浴びても、携帯用ヒーターが使用できるようにした携帯用ヒーターのカバーに関するものである。
【０００２】
【従来の技術】
従来の石油ヒーターやいわゆるカートリッジ式のカセットガスヒーターなどの携帯用ヒーターは、燃焼筒や吸排気を行う通気口が、水浴びに対し露出しているので、入浴時や降雨時などには、燃焼筒や通気口に水が侵入して使用することができなかった。
そこで、本発明者は、携帯用ヒーターが、水を浴びても、防水できるようにすると共に、燃焼や通気ができるように、携帯用ヒーターを覆うカバーを製作して、入浴時や降雨時など、水浴びされる場所で、携帯用ヒーターを使用することに成功し、本発明を完成した。
【０００３】
【発明が解決しようとする課題】
本発明は、携帯用ヒーターを入浴時や降雨時などの水浴び場所でも使用できるようにした携帯用ヒーターカバーを提供するものである。
また、本発明は、既存の携帯用ヒーターに、取りはずしできるように被せて使用できるようにした携帯用ヒーターカバーを提供するものである。
【０００４】
【課題を解決するための手段】
本発明の携帯用ヒーターカバーは、上記課題を達成するため、図示するように、天板１１０と、これに連設した斜板１１１とからなるトップカバー１１と、前記トップカバー１１の斜板１１１に、カバーフレーム１３を介して、間隙をあけて順次重ねるようにした、１個又は複数個の斜板１２１からなるサイドカバー１２とを備えてなる、携帯用ヒーター２０に被せて使用するカバーであって、前記トップカバー１１の斜板１１１と前記第１番目のサイドカバー１２の斜板１２１との間隙、前記第１番目のサイドカバー１２の斜板１２１と前記第２番目のサイドカバー１２の斜板１２１との間隙、前記第ｎ番目のサイドカバー１２の斜板１２１と前記第（ｎ＋１）番目のサイドカバー１２の斜板１２１との間隙、前記最終番目のサイドカバーの斜板と床面乃至地面との間隙が、いずれも、落下水及び跳ね返り水が侵入しないように防水できるように形成されると共に、燃焼や吸排気のため通気できるように形成され、入浴時、降雨時などに水を浴びても、携帯用ヒーター２０が使用できるようにしたものである。
【０００５】
本発明において、携帯用ヒーターは、手で持って運べる、暖房用、料理等の加熱用などに使用される石油ヒーター、石油ストーブ、カートリッジ式のカセットガスを用いるガスヒーターやガスストーブなどがすべて含まれる。
また、本発明において、天板は、携帯用ヒーターの天板より上方に位置して携帯用ヒーターの天板との間に空間があけられるようにすることが好ましい。また、天板は、水を浴びても水が流下できるように形成されることが好ましい。
天板及び斜板は、カバーフレームに固定的に、又は、着脱できるように取りつけられる。
また、天板、斜板及びカバーフレームは、ステンレス、アルミニウム、銅などの耐食性のある金属でつくられることが好ましく、また、耐熱性合成樹脂などの耐熱板も使用できる。
さらに、本発明において、斜板は平面板、曲折板、一部多孔板等が使用できると共に、各斜板の傾斜角度乃至勾配及び傾斜長さ、斜板の数、トップカバーの斜板とサイドカバーの第１番目の斜板との間隙、サイドカバーの第ｎ番目の斜板と第（ｎ＋１）番目の斜板との間隙、最終番目のサイドカバーの斜板と床面乃至地面との間隙などは、携帯用ヒーターの容積、形状、火力やカバーの大きさ及び形状等によって、防水かつ通気できるように適宜決められる。
【０００６】
【発明の実施の形態１】
本発明の実施の形態１が図１、図２、図３及び図４に示されている。
本発明実施例の携帯用ヒーターカバーは、１個のトップカバー１１と３個のサイドカバー１２とカバーフレーム１３と把手１４とからなっている。
トップカバー１１は、水が流下できるように中央に隆起を形成させた天板１１０と、これに連設して勾配を形成した斜板１１１とからなり、リング状のフレーム１３１に取りはずし可能に固着される。
各サイドカバー１２は、勾配を形成する斜板１２１からなり、それぞれ環状のリングフレーム１３１に取りはずし可能に固着される。
カバーフレーム１３は、５個の環状のリングフレーム１３１と、５個のリングフレーム１３１を水平に取りつけた４個の柱状の柱フレーム１３２とからなっている。
把手１４は、熱絶縁の握り１４１と吊り棒１４２とからなる。
トップカバー１１の斜板１１１と第１番目のサイドカバー１２の斜板１２１との間隙、第１番目のサイドカバー１２の斜板１２１と第２番目のサイドカバー１２の斜板１２１との間隙、第２番目のサイドカバー１２の斜板１２１と第３番目のサイドカバー１２の斜板１２１との間隙は、これらの間隙の奥が、それぞれ通気口１３０を形成して燃焼中に排気又は吸気して通気できると共に、落下水が侵入しないように、また、床面乃至地面に落下した水が撥ね返って侵入しないように、防水ができるように形成される。
また、第３番目のサイドカバー１２の斜板１２１と携帯用ヒーター２０が置かれた床面乃至地面（図示しない）との間隙が形成する通気口１３００も前述同様に通気及び防水ができるように形成される。
従って、点火した携帯用ヒーター２０を所定位置に配置して本発明カバーを被せるか、携帯用ヒーター２０を所定位置に配置したのち点火し、本発明カバーを被せるか、いずれかの方法により、携帯用ヒーター２０を使用したとき、携帯用ヒーター２０は、入浴時や降雨時などに際し、水を浴びても、燃焼を支障なく続けて使用することができる。
【０００７】
【発明の実施の形態２】
本発明の実施の形態２が図５、図６及び図７に示されている。
本発明実施例の携帯用ヒーターカバーは、１個のトップカバー１１Ｂと４個のサイドカバー１２Ｂとカバーフレーム１３Ｂと把手１４Ｂと胴カバー１５Ｂとからなっている。
トップカバー１１Ｂは、水を受けても流下できるように中央を隆起させた天板１１０Ｂと、天板１１０Ｂに連設すると共に、勾配を形成した斜板１１１Ｂとからなり、リングフレーム１３１Ｂに取りはずし可能に固着される。
各サイドカバー１２Ｂは、勾配を形成した斜板１２１Ｂからなり、リングフレーム１３１Ｂに取りはずし可能に固着される。
カバーフレーム１３Ｂは、環状のリングフレーム１３１Ｂと柱状の柱フレーム１３２Ｂとから形成されている。
胴カバー１５Ｂは、円筒状に形成され、上端及び下端は、それぞれ間隔をあけた２個のリングフレーム１３１Ｂに取り外し可能に固着される。
把手１４Ｂは、熱絶縁握り１４１Ｂと吊り棒１４２Ｂとからなっている。
トップカバー１１Ｂの斜板１１１Ｂと第１番目のサイドカバー１２Ｂの斜板１２１Ｂとの間隙、第１番目のサイドカバー１２Ｂの斜板１２１Ｂと第２番目のサイドカバー１２Ｂの斜板１２１Ｂとの間隙、第２番目のサイドカバー１２Ｂの斜板１２１Ｂと第３番目のサイドカバー１２Ｂの斜板１２１Ｂとの間隙、第３番目のサイドカバー１２Ｂの斜板１２１Ｂと第４番目のサイドカバー１２Ｂの斜板１２１Ｂとの間隙は、これらの間隙の奥が、それぞれ通気口１３０Ｂを形成して、燃焼中に排気又は吸気して通気できると共に、落下水が侵入しないように、また、床面乃至地面に落下した水が撥ね返って侵入しないように、防水ができるように形成される。
また、第４番目のサイドカバー１２Ｂの斜板１２１Ｂと胴カバー１５Ｂとの間隙が形成する通気口１３００Ｂも前述同様に通気及び防水ができるように形成される。
さらに、胴カバー１５Ｂと携帯用ヒーター２０Ｂが置かれた床面乃至地面（図示しない）との間隙が形成する通気口１３０１Ｂも前述同様に通気及び防水ができるように形成される。
従って、点火した携帯用ヒーター２０Ｂを所定位置に配置して本発明カバーを被せるか、携帯用ヒーター２０Ｂを所定位置に配置したのち点火し、本発明カバーを被せるか、いずれかの方法により、携帯用ヒーター２０Ｂを使用した場合、携帯用ヒーター２０Ｂは、入浴時や降雨時などに水を浴びても、燃焼を支障なく続けて使用できる。
【０００８】
【発明の効果】
本発明によれば、水を浴びる雰囲気中では使用できなかった従来の携帯用ヒーターを、本発明カバーを被せるだけで水浴び雰囲気中で使用できるようにしたので、例えば、浴室を例にとれば、従来の電気又は都市ガス又はプロパンガス配管の浴室暖房に比べ高額な工事費や設備費を全く不要とし、既存の携帯用ヒーターを、それに外嵌できるようにした本発明カバーを被せるだけで、直ちに浴室で使用できるので、画期的な経済的実用価値が発揮できることとなった。
【図面の簡単な説明】
【図１】本発明の実施の形態を示す斜視図である。
【図２】図１の正面図である。
【図３】図１の平面図である。
【図４】図１の燃焼及び給排気の説明図である。
【図５】本発明の別の実施の形態を示す斜視図である。
【図６】図５の正面図である。
【図７】図５の平面図である。
【符号の説明】
１１、１１Ｂ        トップカバー
１１０、１１０Ｂ    トップカバーの天板
１１１、１１１Ｂ    トップカバーの斜板
１２、１２Ｂ        サイドカバー
１２１、１２１Ｂ    サイドカバーの斜板
２０、２０Ｂ        携帯用ヒーター
【図１】
2004190908.tif 000003
【図２】
2004190908.tif 000004
【図３】
2004190908.tif 000005
【図４】
2004190908.tif 000006
【図５】
2004190908.tif 000007
【図６】
2004190908.tif 000008
【図７】
2004190908.tif 000009